【手続補正書】
【提出日】平成30年7月18日(2018.7.18)
【手続補正１】
【補正対象書類名】特許請求の範囲
【補正対象項目名】全文
【補正方法】変更
【補正の内容】
【特許請求の範囲】
【請求項１】
スペクトルにおける少なくとも一つの吸収帯を決定するための方法であって、スペクトルが既定の波長量の範囲における波長量に関する吸収量の変化であり、吸収量が吸収を表す量であり、波長量が波長を表す量であり、各吸収帯がサンプルに存在する化学種の少なくとも一つの共有結合に関連する分布形状であり、分布形状が数学的パラメータによって特徴づけられ、方法が少なくとも：
−サンプルから測定された吸収スペクトル（ＳＭＥＡＳＵＲＥＤ）を提供する工程と、
−測定された吸収スペクトル（ＳＭＥＡＳＵＲＥＤ）と等しい計算スペクトル（ＳＣＡＬＣＵＬＡＴＩＯＮ）を提供する工程と、
−計算スペクトル（ＳＣＡＬＣＵＬＡＴＩＯＮ）から少なくとも一つの吸収帯を抽出する工程と、
−抽出した各吸収帯をグループ化することによって、吸収帯集団を形成する工程と、
−計算スペクトル（ＳＣＡＬＣＵＬＡＴＩＯＮ）から抽出した各吸収帯を除去することによって、剰余スペクトル（ＳＲＥＳＩＤＵＡＬ）を計算する工程と、
−既定の停止基準（ＣＳＴＯＰ）が剰余スペクトル（ＳＲＥＳＩＤＵＡＬ）によって満たされているか否かを検証する工程と、
−停止基準（ＣＳＴＯＰ）が満たされていない場合に、剰余スペクトル（ＳＲＥＳＩＤＵＡＬ）を計算スペクトル（ＳＣＡＬＣＵＬＡＴＩＯＮ）として使用して、抽出工程、形成工程、計算工程および検証工程を反復する工程と、ここで、反復工程の最後における抽出した吸収帯（複数可）が以前に抽出した吸収帯（複数可）と異なり、かつ
−停止基準（ＣＳＴＯＰ）が満たされている場合に、抽出した各吸収帯を出力する工程と、
を含む方法。
【請求項２】
分布形状がガウス形状、ローレンツ形状およびフォークト形状の中から選ばれ、フォークト形状がガウス割合およびローレンツ割合によって特徴づけられる、請求項１記載の少なくとも一つの吸収帯を決定するための方法。
【請求項３】
抽出工程が：
−計算スペクトル（ＳＣＡＬＣＵＬＡＴＩＯＮ）において吸収帯（複数可）を探索し、求められた吸収帯（複数可）を取得する工程と、
−求められた各吸収帯の数学的パラメータについての値を推定して推定されたパラメータを取得する工程と、
を含む、請求項１または２記載の少なくとも一つの吸収帯を決定するための方法。
【請求項４】
抽出工程が：
−計算スペクトル（ＳＣＡＬＣＵＬＡＴＩＯＮ）の最大値を取得することと、
−波長量に関する吸収量の一次導関数を計算して、計算スペクトル（ＳＣＡＬＣＵＬＡＴＩＯＮ）の一次導関数を取得することと、
−波長量に関する吸収量の二次導関数を計算して、計算スペクトル（ＳＣＡＬＣＵＬＡＴＩＯＮ）の二次導関数を取得することと、
−波長量に関する吸収量の二次導関数である、計算スペクトル（ＳＣＡＬＣＵＬＡＴＩＯＮ）の二次導関数の最小値を取得することと、
からなるグループにおいて選ばれた工程を実行することを含む、請求項３記載の少なくとも一つの吸収帯を決定するための方法。
【請求項５】
数学的パラメータが吸収帯の位置であり、位置が考慮された吸収帯の吸収量の絶対最大値の波長量である、請求項３または４記載の少なくとも一つの吸収帯を決定するための方法。
【請求項６】
数学的パラメータの一つのパラメータが吸収帯の幅である、請求項３〜５のいずれか１項記載の少なくとも一つの吸収帯を決定するための方法。
【請求項７】
抽出工程がさらに：
−吸収帯および分布形状の推定されたパラメータを使用することによって各吸収帯に曲線をあてはめることを含む、
請求項３に従属しているときに、請求項１〜６のいずれか１項記載の少なくとも一つの吸収帯を決定するための方法。
【請求項８】
停止基準（ＣＳＴＯＰ）が：
・既定の波長量の範囲にわたる剰余スペクトル（ＳＲＥＳＩＤＵＡＬ）における吸収量の積分が、既定の波長量の範囲にわたる測定された吸収スペクトル（ＳＭＥＡＳＵＲＥＤ）における吸収量の積分との１％の積よりも厳密に下回る、
・既定の波長量の範囲にわたる剰余スペクトル（ＳＲＥＳＩＤＵＡＬ）における吸収量の積分が、既定の波長量の範囲にわたる測定された吸収スペクトル（ＳＭＥＡＳＵＲＥＤ）における吸収量の積分との０．１％の積よりも厳密に下回る、
・剰余スペクトル（ＳＲＥＳＩＤＵＡＬ）における波長量あたりの吸収量の絶対値が、測定された吸収スペクトル（ＳＭＥＡＳＵＲＥＤ）における波長量あたりの吸収量の絶対値との１％の積よりも厳密に下回る、
・剰余スペクトル（ＳＲＥＳＩＤＵＡＬ）における波長量あたりの吸収量の絶対値が、測定された吸収スペクトル（ＳＭＥＡＳＵＲＥＤ）における波長量あたりの吸収量の絶対値との０．１％の積よりも厳密に下回る、
・剰余スペクトル（ＳＲＥＳＩＤＵＡＬ）における吸収量と測定された吸収スペクトル（ＳＭＥＡＳＵＲＥＤ）における吸収量との間の比率が、既定の波長量の範囲における１％よりも厳密に下回る、
・剰余スペクトル（ＳＲＥＳＩＤＵＡＬ）における吸収量と測定された吸収スペクトル（ＳＭＥＡＳＵＲＥＤ）における吸収量との間の比率が、既定の波長量の範囲における０．１％よりも厳密に下回るおよび
・前の停止基準の任意の組み合わせ、
からなるグループにおいて選ばれる、請求項１〜７のいずれか１項記載の少なくとも一つの吸収帯を決定するための方法。
【請求項９】
方法がさらに、停止基準（ＣＳＴＯＰ）が満たされていない場合に、剰余スペクトル（ＳＲＥＳＩＤＵＡＬ）を使用して以前に抽出した各吸収帯を修正する工程を含む、請求項１〜８のいずれか１項記載の少なくとも一つの吸収帯を決定するための方法。
【請求項１０】
各吸収帯が位置および端をもつ幅を有し、修正工程が、抽出した各吸収帯について、考慮された吸収帯の位置および／または考慮された吸収帯の幅の端における剰余スペクトル（ＳＲＥＳＩＤＵＡＬ）の代数符号を決定することを含む、請求項９記載の少なくとも一つの吸収帯を決定するための方法。
【請求項１１】
方法が少なくとも：
−三次元サンプルを複数個の二次元サンプルに分割する工程と、
−各二次元サンプルについての少なくとも一つの吸収帯を決定するための方法を実行する工程であって、方法が請求項１〜１０のいずれか１項記載の方法であり、各二次元サンプルについての少なくとも一つの共有結合に関連する少なくとも一つの吸収帯を取得するための、工程と、
−各二次元サンプルについての取得した吸収帯を使用して三次元サンプルを再構成する工程と、
を含む、三次元サンプルを三次元画像化するための方法。
【請求項１２】
放射源（２０２）、放射源（２０２）によって放出された放射をサンプルの方に運ぶための光学部品（２０４）、サンプルホルダ（２０８）、検出器（２１０）および請求項１〜１０のいずれか１項記載の決定するための方法を実行するように適合された計算機を含む分光計（２００）。
【請求項１３】
放射源（２０２）、放射源（２０２）によって放出された放射をサンプルの方に運ぶための光学部品（２０４）、サンプルホルダ（２０８）、検出器（２１０）および請求項１１記載の三次元画像化するための方法を実行するように適合された計算機を含む分光計（２００）。
【請求項１４】
プログラム命令を含むコンピュータプログラムであって、データ処理ユニットにロード可能であり、データ処理ユニットによってコンピュータプログラムが履行されたときに請求項１〜１０のいずれか１項記載の決定するための方法を遂行させるように適合されたコンピュータプログラムをそこに有する、コンピュータ読み取り可能な媒体を含むコンピュータプログラム製品。
【請求項１５】
プログラム命令を含むコンピュータプログラムであって、データ処理ユニットにロード可能であり、データ処理ユニットによってコンピュータプログラムが履行されたときに請求項１１記載の三次元画像化するための方法を遂行させるように適合されたコンピュータプログラムをそこに有する、コンピュータ読み取り可能な媒体を含むコンピュータプログラム製品。